(57)【特許請求の範囲】
【請求項１】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、電話回線を接続するターミナルアダプター回路(6)を内蔵し、ターミナルアダプター回路(6)に二次電池(1)が電力を供給する無停電電源装置。
【請求項２】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、通信ポート(5)に接続してなる記憶回路(7)を内蔵し、商用電源が遮断されたときに、前記二次電池(1)が記憶回路(7)に電力を供給すると共に、通信ポート(5)に接続している機器の情報を記憶回路(7)に記憶させるようにしてなる無停電電源装置。
【請求項３】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、通信ポート(5)に接続してなるハードディスクを備えており、ハードディスクは通信ポート(5)を介して接続されるコンピュータに内蔵されるハードディスクの情報を記憶すると共に、商用電源が遮断されたときに、前記二次電池(1)が通信ポート(5)に接続されたハードディスクに電力を供給するようにしてなる無停電電源装置。
【請求項４】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線を接続する回線ポート(22)を備えると共に、この回線ポート(22)に接続しているインターネット回線を介してメールサーバーに自動的にアクセスするメール検索回路(10)を内蔵しており、商用電源が遮断されたときに、このメール検索回路(10)に二時電源(1)が電力を供給する無停電電源装置。
【請求項５】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、指紋識別装置(11)を接続しており、この指紋識別装置(11)で識別された指紋が入力されたときに限って、電源出力端子(8)に商用電圧が出力される無停電電源装置。
【請求項６】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線に接続されてなる遠隔操作回路(13)を内蔵しており、商用電源が遮断されたときに遠隔操作回路(13)に二次電池(1)が電力を供給する無停電電源装置。
【請求項７】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線にハッキング防止回路(14)を接続しており、商用電源が遮断されたときに、ハッキング防止回路(14)に二次電池が電力を供給する無停電電源装置。
【請求項８】
二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、外部より情報を取り入れるポート(20,21,22)と、外部へ情報を出力するポート(5)とを備え、外部からの情報に含まれるウィルスを検知する演算手段(30)を備えることを特徴とする無停電電源装置。
【請求項９】
前記外部へ情報を出力するポート(5)は、互いに通信バス(19)を介して接続されると共に、電力が供給される電源ライン(16)を有する複数のコンピュータ用の通信ポート(5)であることを特徴とする請求項８の無停電電源装置。
【請求項１０】
商用電源の遮断状態において、電源ライン(16)には、二次電池(1)より電力が供給されることを特徴とする請求項８の無停電電源装置。
【発明の詳細な説明】
【０００１】
【発明の属する技術分野】
本発明は、商用電源が遮断されたときに、二次電池から商用電源を供給すると共に、コンピュータに接続される通信ポートを介して外部接続機器に接続できる無停電電源装置に関する。
【０００２】
【従来の技術】
コンピュータは、電源を切るときに所定の操作を必要とする。この操作をしないで電源が遮断されると、電源が遮断される前の状態に復元できず、種々の弊害が発生する。困ったことに、コンピュータに電力を供給している商用電源は、たとえば雷などが原因で、一時的に停電することがある。この弊害を解消するために、無停電電源装置が使用される。無停電電源装置は、二次電池を電源として、商用電源と同等の交流を出力するＤＣ／ＡＣコンバータと、商用電源が遮断したことを検出する回路を内蔵している。この無停電電源装置は、コンピュータの電源コンセントに接続されて、商用電源が遮断されたときに、商用電源と同じ交流を出力する。
【０００３】
【発明が解決しようとする課題】
したがって、コンピュータの電源コンセントを無停電電源装置に接続して、商用電源が遮断されたことによる弊害を防止できる。ところで、コンピュータには、ハードディスク、ＣＤ−ＲＯＭ、ＣＤ−Ｒ等の外部接続機器を接続して使用することが多くある。これ等の外部接続機器は、ＵＳＢポート等の通信ポートを介してコンピュータに接続される。この通信ポートは、信号ラインと直流電源ラインを備えている。したがって、コンピュータから外部接続機器に電力を供給しながら使用できる。ただ、コンピュータから外部接続機器に供給できるトータル電力は制限されている。このため、多数の外部接続機器をコンピュータに接続し、あるいは消費電力の大きな外部接続機器を接続すると正常に動作できなくなる。
【０００４】
この弊害は、電源回路を内蔵する外部接続機器を使用して解消できる。このタイプの外部接続機器は、電源回路を内蔵するのでＵＳＢポート等の通信ポートから電力を供給する必要がない。したがって、ＵＳＢポート等の通信ポートに接続する台数や消費電力が制限されない。このタイプの外部接続機器は、電源回路を内蔵するので製造コストが高くなる欠点がある。また、このタイプの外部接続機器は、ラップトップ型のコンピュータに接続して使用するときに、問題が発生しやすい。それは、ラップトップ型のコンピュータは、二次電池を内蔵しているために、無停電電源装置と共に使用されないからである。ラップトップ型のコンピュータは、商用電源が遮断されても二次電池から電力を供給して電源が切れないので、無停電電源装置を使用する必要がない。しかしながら、ラップトップ型のコンピュータにも、電源回路を内蔵するハードディスク等の外部接続機器が接続される。とくに、ラップトップ型のコンピュータは電源容量が充分でないために、電源回路を内蔵する外部接続機器を接続するのがよい。しかしながら、電源回路を内蔵する外部接続機器をラップトップ型のコンピュータに接続して使用するとき、商用電源が遮断すると、外部接続機器が動作しなくなってしまう弊害がある。
【０００５】
本発明は、このような欠点を解決することを目的に開発されたものである。本発明の重要な目的は、電源回路を内蔵しない安価な外部接続機器を多数台接続できると共に、商用電源が遮断したときに、外部接続機器とコンピュータの両方を正常に動作できる無停電電源装置を提供することにある。
また、本発明の他の目的は、無停電電源装置を介して、外部より情報を、接続される機器に供給する場合において、外部からの情報に含まれるウィルスに対応する構造を提供することにある。
【０００６】
【課題を解決するための手段】
本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、電話回線を接続するターミナルアダプター回路(6)を内蔵し、ターミナルアダプター回路(6)に二次電池(1)が電力を供給する。
【０００７】
また、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、通信ポート(5)に接続してなる記憶回路(7)を内蔵し、商用電源が遮断されたときに、前記二次電池(1)が記憶回路(7)に電力を供給すると共に、通信ポート(5)に接続している機器の情報を記憶回路(7)に記憶させるようにしてなる。
【０００８】
さらに、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、通信ポート(5)に接続してなるハードディスクを備えており、ハードディスクは通信ポート(5)を介して接続されるコンピュータに内蔵されるハードディスクの情報を記憶すると共に、商用電源が遮断されたときに、前記二次電池(1)が通信ポート(5)に接続されたハードディスクに電力を供給するようにしてなる。
【０００９】
また、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線を接続する回線ポート(22)を備え、この回線ポート(22)に接続しているインターネット回線を介してメールサーバーを自動的にアクセスするメール検索回路(10)を内蔵しており、商用電源が遮断されたときに、このメール検索回路(10)に二時電源(1)が電力を供給する。
【００１０】
さらに、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、指紋識別装置(11)を接続しており、この指紋識別装置(11)で識別された指紋が入力されたときに限って、電源出力端子(8)に商用電圧が出力される。
【００１１】
また、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線に接続されてなる遠隔操作回路(13)を内蔵しており、商用電源が遮断されたときに遠隔操作回路(13)に二次電池(1)が電力を供給する。
【００１２】
さらに、本発明の無停電電源装置は、二次電池(1)と、この二次電池(1)を充電する充電回路(2)と、前記二次電池(1)の直流を商用電源電圧の交流に変換するＤＣ／ＡＣコンバータ(3)と、商用電源の遮断状態において前記二次電池(1)の出力をＤＣ／ＡＣコンバータ(3)で商用電源電圧の交流に変換して電源出力端子(8)に出力する制御回路(4)と、互いに通信バス(19)を介して接続されると共に、電力が供給される電源ライン(16)を有する複数のコンピュータ用の通信ポート(5)とを備え、インターネット回線にハッキング防止回路(14)を接続しており、商用電源が遮断されたときに、ハッキング防止回路(14)に二次電池が電力を供給する。
【００１６】
また、他の本発明の無停電電源装置の主要な特徴は、二次電池１と、この二次電池１を充電する充電回路２と、前記二次電池１の直流を商用電源電圧の交流に変換するＤＣ／ＡＣコンバータ３と、商用電源の遮断状態において前記二次電池１の出力をＤＣ／ＡＣコンバータ３で商用電源電圧の交流に変換して電源出力端子８に出力する制御回路４と、外部より情報を取り入れるポート20,21,22と、外部へ情報を出力するポート５とを備え、外部からの情報に含まれるウィルスを検知する演算手段３０を備える。
【００１７】
【発明の実施の形態】
以下、本発明の実施例を図面に基づいて説明する。ただし、以下に示す実施例は、本発明の技術思想を具体化するための無停電電源装置を例示するものであって、本発明は無停電電源装置を以下のものに特定しない。
【００１８】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１９】
図１に示す無停電電源装置は、二次電池１と、この二次電池１を充電する充電回路２と、二次電池１の直流を商用電源電圧に変換するＤＣ／ＡＣコンバータ３と、商用電源が遮断されたことを検出して、二次電池１の出力を商用電源電圧の交流に変換して電源出力端子８に出力する制御回路４と、コンピュータ用の通信ポート５と、電話回線に接続されるターミナルアダプター回路６と、商用電源が遮断しても外部の情報を記憶する記憶回路７と、自動的にメールサーバをアクセスしてメールをロードするメール検索回路１０と、使用者の指紋を識別する指紋識別装置１１、通信ポート５を介して接続される電気機器１７に直流電力を供給する直流電源出力端子９と、無線ＬＡＮ回路１２と、遠隔操作回路１３と、ハッキング防止回路１４と、安定化回路１５とを備える。
【００２０】
二次電池１は、ニッケル−水素電池、ニッケル−カドミウム電池、リチウムイオン二次電池等の充電できる電池である。二次電池１は、直列に接続する数で出力電圧を調整している。直列に接続している複数の二次電池１のトータルの出力電圧は、１２〜１５Ｖに設定される。ただ、この電圧よりも低く、あるいは高く設定することもできる。とくに、安定化回路１５で出力電圧を安定化して電源ライン１６に出力する図の装置は、二次電池１の出力電圧を高くして定電圧の出力に制御できる。電源ライン１６の電圧よりも低電圧の二次電池１は、ＤＣ／ＤＣコンバータで最適電圧に変換して出力する。
【００２１】
二次電池１の容量は、商用電源が遮断されたときに、通信ポート５に接続しているコンピュータ等を正常に終了できるように設定される。ほとんどのコンピュータは、約１分もあれば正常に終了できる。このため、二次電池１の容量は、コンピュータを２分以上、好ましくは３〜１０分間駆動できる容量に設定される。
【００２２】
充電回路２は、商用電源を、二次電池１を充電できる直流電圧に変換する。充電回路２は、二次電池１の過充電を防止する回路も内蔵している。このことを実現するために、充電回路２は、二次電池１の満充電を検出すると充電を停止し、あるいは、二次電池１を所定の電圧に保持してフローティング充電し、あるいはまた、満充電されるとトリクル充電して電池の劣化を防止する。また、この充電回路２は、商用電源が遮断されないときに、電源ライン１６に電力を出力する。
【００２３】
ＤＣ／ＡＣコンバータ３は、二次電池１の直流を交流に変換する。ＤＣ／ＡＣコンバータ３の出力電圧と周波数は、各国の商用電源電圧に設定される。日本の商用電源電圧は１００Ｖ、周波数は５０又は６０Ｈｚであるから、出力電圧をＡＣ１００Ｖ、周波数を５０又は６０Ｈｚに設定する。最大出力電力は、接続されるコンピュータと外部接続機器に電力を供給できるように、たとえば２００〜５００Ｗ、好ましくは３００〜４００Ｗに設定される。また、必要に応じてこれ以上の出力に設定することも可能である。
【００２４】
図の制御回路４は、切換スイッチ１８を制御して、商用電源が遮断されたときに、ＤＣ／ＡＣコンバータ３の出力を電源出力端子８に出力する。この制御回路４は、商用電源が遮断されないとき、図の実線で示すように、商用電源と電源出力端子８との間に接続している接続スイッチ１８Ａをオンとして、商用電源を電源出力端子８に出力する。このとき、ＤＣ／ＡＣコンバータ３に接続している接続スイッチ１８Ｂはオフ状態とする。商用電源が遮断されると、図の位置とは反対に、接続スイッチ１８Ａをオフとして、接続スイッチ１８Ｂをオンに切り換えて、二次電池１の出力をＤＣ／ＡＣコンバータ３で商用電源の交流に変換して電源出力端子８に出力する。この図に示す制御回路４は、商用電源が遮断されないときにＤＣ／ＡＣコンバータ３を動作させる必要がないので、この状態での無駄な電力消費を少なくできる。ただ、本発明の無停電電源装置は、図示しないが、商用電源が遮断されないときに、充電回路の出力である直流をＤＣ／ＡＣコンバータで商用電源の交流に変換して電源出力端子に出力することもできる。この無停電電源装置は、商用電源が遮断されたとき、二次電池の直流をＤＣ／ＡＣコンバータで商用電源の交流に変換して電源出力端子に出力するのは同じである。この無停電電源装置は、常にＤＣ／ＡＣコンバータを駆動しているので、商用電源が遮断された瞬間にも、電源出力端子の交流が変動することがない。
【００２５】
通信ポート５は、複数個設けられている。通信ポート５は、ＵＳＢポートやＬＡＮポートである。複数の通信ポート５は、互いに通信バス１９で接続されている。図示しないが、通信ポート５を接続している通信バス１９は、通信ポート５の間に、好ましくはノイズカットフィルターを接続している。この通信ポート５は、電源ライン１６を接続しており、電源ライン１６は、安定化回路１５を介して二次電池１に接続されている。したがって、電源ライン１６には、二次電池１から電力が供給される。二次電池１には充電回路２を接続している。したがって、通信ポート５の電源ライン１６は、商用電源が遮断されないときは、主として充電回路２から電力が供給され、商用電源が遮断されると二次電池１から電力が供給される。通信ポート５には、デスクトップ型のコンピュータ（図1においては符号１７の電気機器と示す。）、ラップトップ型のコンピュータ（図1においては符号１７の電気機器と示す。）、ハードディスク（図1においてはHDのブロックで示す。）、ＣＤ−Ｒ（図1においてはCD−Rのブロックで示す。）、キーボード（図1においてはキーボードと示す。）、マウス（図1においてはマウスと示す。）、スキャナー（図1においてはスキャナーと示す。）等の外部接続機器が接続される。
また、電気機器１７においては、必要に応じて、後述する直流電源出力端子９より、直接、直流電力を得ることができる。
更には、本実施例においては、複数の通信ポート５を有する電源が供給できるハブとしても機能できる。この場合は、コンピューターである電気機器１７と、周辺機器（例えば、図１に示すような、ハードディスク（HD)、ＣＤ−Ｒ、キーボード、マウス等）との情報交換を、本実施例での複数の通信ポート５を介して行うことができる。この場合は、電気機器１７と接続する通信ポート５（図１における最上の通信ポート５）には、電源ライン１６により電源を供給することは不要となる。
【００２６】
ターミナルアダプター回路６は、デジタル電話回線に接続されるポート２０を入力側に接続しており、出力側にはアナログ電話回線用のポート２１を接続している。さらに、このターミナルアダプター回路６のデジタル出力側は、通信バス１９に接続されて、デジタル回線から入力される信号を、通信バス１９に出力している。ターミナルアダプター回路６の電源ライン１６は、安定化回路１５を介して二次電池１に接続される。したがって、このターミナルアダプター回路６も、商用電源が遮断されないときは、主として充電回路２から電力が供給され、商用電源が遮断されると二次電池１から電力が供給される。
【００２７】
記憶回路７は、ハードディスクと半導体のバッファーメモリを備えている。ハードディスクは、通信バス１９を介して接続しているコンピュータに内蔵されるハードディスクと同じ情報を並列に保存する。このハードディスクを内蔵する無停電電源装置は、コンピュータのハードディスクが故障しても、その内容を無停電電源装置のハードディスクから読み出すことができる。さらに、バッファメモリは一時的に情報を記憶して、ハードディスクに保存する。記憶回路７の電源ライン１６も、安定化回路１５を介して二次電池１に接続される。したがって、記憶回路７も商用電源が遮断されないときは、主として充電回路２から電力が供給され、商用電源が遮断されると二次電池１から電力が供給される。
更には、記憶回路７としては、実施例本体に内蔵されるものだけでなく、例えば、PCカードスロットを装備することで、装着自在に、各種メモリー（フラッシュメモリー、カード型メモリー、PCカード型HD等）も利用することができる。
また、このような記憶回路７は、上述の段落番号「０００８」、「０００９」に記載したように、本実施例の無停電電源装置は、通信ポート５に接続してなる記憶回路７を内蔵して、商用電源が遮断されたときに、二次電池１から記憶回路７に電力を供給すると共に、通信ポート５に接続している機器の情報を記憶回路７に記憶させることができる。商用電源が遮断されたときの情報は、制御回路４より、記憶回路７に送られる。
【００２８】
メール検索回路１０は、自動的にメールサーバをアクセスしてメールをロードするタイマーを内蔵している。タイマーの設定時間になると、メールサーバをアクセスして、新しいメールがあると、そのメールをロードする。メール検索回路１０は、メールサーバに接続するために、ターミナルアダプター回路６を介してデジタル電話回線に接続され、あるいはハッキング防止回路１４を介してインターネット回線に接続される。メール検索回路１０は自動的にメールをロードしているので、無停電電源装置にコンピュータを接続して、簡単にメールをダウンロードできる特長がある。このメール検索回路１０の電源ライン１６も、安定化回路１５を介して二次電池１に接続され、商用電源が遮断されないときは、主として充電回路２から電力が供給され、商用電源が遮断されると二次電池１から電力が供給される。
【００２９】
指紋識別装置１１は、通信バス１９に接続するコンピュータを使用するユーザーの指紋を記憶するためのメモリと、指紋を識別する指紋センサーとを備える。指紋識別装置１１は、メモリに記憶している指紋と同じパターンの指紋が指紋センサーから入力されると、特定のＩＤを通信バス１９を介して、接続されるコンピュータに出力する。このコンピュータは、特定のＩＤが入力されたときにかぎって、電源をオンにする。したがって、通信バス１９に接続しているコンピュータ、指紋識別装置１１から特定のＩＤが入力されないかぎり電源をオンにできず使用できない。この指紋識別装置１１を有する無停電電源装置は、使用できるユーザーが、指紋をメモリに記憶しているものに特定される。指紋識別装置１１の電源ライン１６も安定化回路１５を介して二次電池１に接続され、商用電源が遮断されないときは、主として充電回路２から電力が供給され、商用電源が遮断されると二次電池１から電力が供給される。
【００３０】
直流電源出力端子９は、安定化回路１５を介して二次電池１に接続している。この直流電源出力端子９は、通信ポート５に接続されるラップトップ型のコンピュータ（図１においては、電気機器１７に相当する）に直流電力を供給する。ラップトップ型のコンピュータは、通常の使用状態にあっては、ＡＣアダプタを介して商用電源に接続される。ＡＣアダプタは、交流の商用電源を直流に変換してコンピュータに出力する。直流電源出力端子９は、ＡＣアダプタを介することなく、直流電力を直接にラップトップ型のコンピュータのＡＣアダプタを接続するコネクターに供給する。ラップトップ型のコンピュータは、ＡＣアダプタを介して直流電力を供給することもできるが、ＡＣアダプタを介することなく、直流電源出力端子９から直流電力をコンピュータに供給して、効率よく電力供給できる。直流電源出力端子９は、安定化回路１５を介して二次電池１に接続しているので、商用電源が遮断されないときは、主として充電回路２から電力が供給され、商用電源が遮断されると二次電池１から電力が供給される。
【００３１】
無線ＬＡＮ回路１２は、外部の機器から無線伝送されてくる無線ＬＡＮの信号を受信して通信バス１９に出力し、また、外部の機器に無線伝送する無線ＬＡＮの信号で搬送波を変調して送信する。無線ＬＡＮ回路１２は、外部の機器から送信される電波を受信するアンテナと、このアンテナで受信した信号を増幅して無線ＬＡＮの信号を出力する受信器と、通信バス１９から他の無線ＬＡＮの機器に伝送したり、無線ＬＡＮの信号を変調してアンテナから送信する送信器とを備えている。この無線ＬＡＮ回路１２は、商用電源が遮断されないときは、主として充電回路２から電力が供給され、商用電源が遮断されると二次電池１から電力が供給される。
【００３２】
遠隔操作回路１３は、通信バス１９を介してターミナルアダプター回路６に接続される。ターミナルアダプター回路６は、デジタル電話回線等のインターネット回線に接続している。遠隔操作回路１３は、インターネット回線を介して外部のコンピュータを通信バス１９に接続して、このコンピュータで無停電電源装置を制御するための回路である。この遠隔操作回路１３を備える無停電電源装置は、外部のコンピュータをインターネット回線で遠隔操作回路１３に接続できる。外部のコンピュータは、遠隔操作回路１３を介して通信バス１９に接続される。したがって、メール検索回路１０に記憶されるメールを外部のコンピュータから見ることができる。遠隔操作回路１３は、ハッキング防止回路１４を介して電話回線等のインターネット回線に接続することもできる。この遠隔操作回路１３は、二次電池１に接続され、商用電源が遮断されないときは、主として充電回路２から電力が供給され、商用電源が遮断されると二次電池１から電力が供給される。
【００３３】
ハッキング防止回路１４は、インターネット回線を接続する回線ポート２２を有する。このインターネット回線の回線ポート２２を介して、ハッキング防止回路１４はインターネット回線に接続される。インターネット回線は、電話回線、あるいは専用回線、あるいはまた、有線放送の回線である。ハッキング防止回路１４は、インターネット回線に入力される信号に、ハッカーの信号が含まれるかどうかを検出する。このハッカー信号が含まれないときは、インターネット回線に入力される信号を通信バス１９に出力する。インターネット回線にハッカー信号が含まれるときは、その信号を通信バス１９に出力しない。したがって、インターネット回線から通信バス１９にハッカー信号が入力されて、コンピュータが正常に動作しなくなることを防止できる。このハッキング防止回路１４は二次電池１に接続され、商用電源が遮断されないときは、主として充電回路２から電力が供給され、商用電源が遮断されると二次電池１から電力が供給される。
【００３４】
安定化回路１５は、二次電池１の出力電圧を安定化して出力する。二次電池１の出力電圧が、電源ライン１６の電圧に等しいとき、必ずしもこの安定化回路１５は必要なく、二次電池１から直接に直流電力を出力できる。また、実施例の無停電電源装置に把手等を取り付けて、携帯もできるようにすれば、通信バス１９、電源ライン１６を備えるポータブル電源としても利用できる。
次に、他の実施例を、図２を用いて説明する。図２は、図１と同じような構成を有しているので、図１と同じ部分は同一符号を用いると共に、説明を省略する。図１と異なる構成について、以下に説明する。他の実施例においては、外部より情報を取り入れるポート２０、２１、２２と、外部へ情報を出力するポート５とを備えいるが、こららポートの間に、CPU等を含む演算手段３０を有している。この演算手段３０が、記憶回路３０等を利用することにより、いわゆるウィルス対策のソフトプログラムをインストールして実行することができる。従って、本他の実施例を利用して、電気機器１７にコンピューターを利用する場合は、外部からの情報にコンピューターウィルスが含まれるとき、演算手段３０が、ウィルス対策ソフトプログラムを駆動していることより、ウィルスを検知、必要に応じて駆除できる。よって、本他の実施例においては、無停電電源装置としての機能を有すると共に、ウィルス検知機能を有している。つまり、有害なウィルスを含む情報を、ポート２０、２１、２２より、外部から取り入れたとしても、本他の実施例の無停電電源装置内にて、検知、駆除することができるので、接続されたコンピューターである電気機器17に、ウィルスが侵入することを防止、低減することができる。
【００３５】
【発明の効果】
本発明の無停電電源装置は、電源回路を内蔵しない安価な外部接続機器を多数台接続できると共に、商用電源が遮断したときに、外部接続機器とコンピュータの両方を正常に動作できる特長がある。それは、本発明の無停電電源装置が、互いに通信バスを介して接続されると共に、内蔵する二次電池から電力が供給される電源ラインを有する複数のコンピュータ用の通信ポートを備えているからである。この構造の無停電電源装置は、複数の通信ポートに電源ラインを接続しているので、電源回路を内蔵しない外部接続機器であっても多数台接続して便利に使用できると共に、商用電源が遮断された非常時においては、内蔵される二次電池を電源として、外部接続機器とコンピュータの両方を正常に動作できる。さらに、本発明の無停電電源装置は、複数の通信ポートに接続される多数の外部接続機器を通信バスで互いに接続しているので、種々の外部接続機器の機能を多面的に活用できる特長もある。
また、本発明は、無停電電源装置としての機能を有すると共に、ウィルス検知機能を有している。つまり、有害なウィルスを含む情報を、ポートより、外部から取り入れたとしても、無停電電源装置内にて、検知することができるので、接続されたコンピューター等の電気機器に、ウィルスが侵入することを防止、低減することができる。
【図面の簡単な説明】
【図１】本発明の一実施例にかかる無停電電源装置のブロック線図
【図２】本発明の他の実施例にかかる無停電電源装置のブロック線図
【符号の説明】
１…二次電池
２…充電回路
３…ＤＣ／ＡＣコンバータ
４…制御回路
５…通信ポート
６…ターミナルアダプター回路
７…記憶回路
８…電源出力端子
９…直流電源出力端子
１０…メール検索回路
１１…指紋識別装置
１２…無線ＬＡＮ回路
１３…遠隔操作回路
１４…ハッキング防止回路
１５…安定化回路
１６…電源ライン
１７…電気機器
１８…切換スイッチ      １８Ａ…接続スイッチ
１８Ｂ…接続スイッチ
１９…通信バス
２０…ポート
２１…ポート
２２…回線ポート
３０…演算手段
【図１】
0003913561.tif 000002
【図２】
0003913561.tif 000003